【手続補正書】
【提出日】平成17年5月26日(2005.5.26)
【手続補正１】
【補正対象書類名】明細書
【補正対象項目名】特許請求の範囲
【補正方法】変更
【補正の内容】
【特許請求の範囲】
【請求項１】
画像形成装置であって、
電子写真方式を用いて電子写真感光体へトナー像を形成する画像形成手段と、
電子写真感光体上のトナー像を記録媒体へ転写する転写手段と、
電子写真感光体に当接して配置されるとともに記録媒体の搬送を行う搬送手段と、
前記電子写真感光体を回転駆動する第一の駆動手段と、前記第一の駆動手段からの駆動力を前記電子写真感光体に伝達する第一の結合手段と、
前記電子写真感光体に設けられ、前記第一の結合手段と結合する第二の結合手段と、
前記搬送手段を回転駆動する第二の駆動手段と、
前記転写手段によって前記記録媒体へトナー像を転写した後に前記電子写真感光体上に残留したトナーを前記電子写真感光体表面に当接したクリーニングブレードによって回収するクリーニング手段と、
前記画像形成装置に着脱可能であって、少なくとも前記電子写真感光体と前記クリーニング手段とを枠体により保持するプロセスカートリッジと、
前記プロセスカートリッジが新品であることを検出する新品検出手段と、を有し、前記新品検出手段により前記プロセスカートリッジが新品であることが検出された場合、前記第一の駆動手段を駆動開始し、前記第一駆動手段の駆動開始から所定時間後に、前記第二の駆動手段の駆動を開始することを特徴とする画像形成装置。
【請求項２】
前記第一の結合手段は断面がｎ（ｎ≧３）角形の捩じれた穴を有し、前記第二の結合手段は捩じれたｎ（ｎ≧３）角柱の形状を有することを特徴とする請求項１に記載の画像形成装置。
【請求項３】
前記第一の結合手段は、捩じれたｎ（ｎ≧３）角柱の形状を有し、前記第二の結合手段は断面がｎ（ｎ≧３）角形の捩じれた穴を有することを特徴とする請求項１に記載の画像形成装置。
【請求項４】
前記所定時間は、第一の駆動手段の駆動開始から第一の結合手段が１／ｎ回転するのと同じ時間か、もしくは１／ｎ回転するよりも長い時間であることを特徴とする請求項１〜３のいずれかの項に記載の画像形成装置。
【請求項５】
前記新品検出手段によって前記プロセスカートリッジが新品ではないと検出された場合、前記第一の駆動手段と前記第二の駆動手段を同時に駆動開始することを特徴とする請求項１〜４のいずれかの項に記載の画像形成装置。
【請求項６】
前記搬送手段は、エンドレスベルトであることを特徴とする請求項１〜５のいずれかの項に記載の画像形成装置。
【請求項７】
画像形成装置であって、
電子写真方式を用いて電子写真感光体へトナー像を形成する画像形成手段と、
電子写真感光体上のトナー像を記録媒体へ転写する転写手段と、
電子写真感光体に当接して配置されるとともに記録媒体の搬送を行う搬送手段と、
前記電子写真感光体を回転駆動する第一の駆動手段と、前記第一の駆動手段からの駆動力を前記電子写真感光体に伝達する第一の結合手段と、
前記電子写真感光体に設けられ、前記第一の結合手段と結合する第二の結合手段と、
前記搬送手段を回転駆動する第二の駆動手段と、
前記転写手段によって前記記録媒体へトナー像を転写した後に前記電子写真感光体上に残留したトナーを回前記電子写真感光体表面に当接したクリーニングブレードによって回収するクリーニング手段と、
前記画像形成装置に着脱可能であって、少なくとも前記電子写真感光体と前記クリーニング手段とを枠体により保持プロセスカートリッジと、
前記プロセスカートリッジが交換されたことを検出する交換検出手段と、を有し、
前記交換検出手段により前記プロセスカートリッジが交換されたことが検出された場合、第一の駆動手段を駆動開始し、前記第一駆動手段の駆動開始から所定時間後に、第二の駆動手段の駆動を開始することを特徴とする画像形成装置。
【請求項８】
前記第一の結合手段は断面がｎ（ｎ≧３）角形の捩じれた穴を有し、前記第二の結合手段は捩じれたｎ（ｎ≧３）角柱の形状を有することを特徴とする請求項７に記載の画像形成装置。
【請求項９】
前記第一の結合手段は、捩じれたｎ（ｎ≧３）角柱の形状を有し、前記第二の結合手段は断面がｎ（ｎ≧３）角形の捩じれた穴を有することを特徴とする請求７に記載の画像形成装置。
【請求項１０】
前記所定時間は、第一の駆動手段の駆動開始から第一の結合手段が１／ｎ回転するのと同じ時間か、もしくは１／ｎ回転するよりも長い時間であることを特徴とする請求項７〜９のいずれかの項に記載の画像形成装置。
【請求項１１】
前記交換検出手段により前記プロセスカートリッジが交換されていないと検出された場合、前記第一の駆動手段と前記第二の駆動手段を同時に駆動開始することを特徴とする請求項７〜１０のいずれかの項に記載の画像形成装置。
【請求項１２】
前記搬送手段は、エンドレスベルトであることを特徴とする請求項７〜１１のいずれかの項に記載の画像形成装置。
【請求項１３】
画像形成装置であって、
電子写真方式を用いて電子写真感光体へトナー像を形成する画像形成手段と、
電子写真感光体に当接して配置されるとともに電子写真感光体上のトナー像を記録媒体へ転写する転写手段と、
前記電子写真感光体を回転駆動する第一の駆動手段と、前記第一の駆動手段からの駆動力を前記電子写真感光体に伝達する第一の結合手段と、
前記電子写真感光体に設けられ、前記第一の結合手段と結合する第二の結合手段と、
前記転写手段を回転駆動する第二の駆動手段と、
前記転写手段によって前記記録媒体へトナー像を転写した後に前記電子写真感光体上に残留したトナーを前記電子写真感光体表面に当接したクリーニングブレードによって回収するクリーニング手段と、
前記画像形成装置に着脱可能であって、少なくとも前記電子写真感光体と前記クリーニング手段とを枠体により保持するプロセスカートリッジと、
前記プロセスカートリッジが新品であることを検出する新品検出手段と、を有し、
前記新品検出手段によりプロセスカートリッジが新品であることが検出された場合、第一の駆動手段を駆動開始し、前記第一駆動手段の駆動開始から所定時間後に、第二の駆動手段の駆動を開始することを特徴とする画像形成装置。
【請求項１４】
前記第一の結合手段は断面がｎ（ｎ≧３）角形の捩じれた穴を有し、前記第二の結合手段は捩じれたｎ（ｎ≧３）角柱の形状を有することを特徴とする請求項１３に記載の画像形成装置。
【請求項１５】
前記第一の結合手段は捩じれたｎ（ｎ≧３）角柱の形状を有し、前記第二の結合手段は断面がｎ（ｎ≧３）角形の捩じれた穴を有することを特徴とする請求項１３に記載の画像形成装置。
【請求項１６】
前記所定時間は、第一の駆動手段の駆動開始から第一の結合手段が１／ｎ回転するのと同じ時間か、もしくは１／ｎ回転するよりも長い時間であることを特徴とする請求項１３〜１５のいずれかの項に記載の画像形成装置。
【請求項１７】
前記新品検出手段によって前記プロセスカートリッジが新品ではないと検出された場合、前記第一の駆動手段と前記第二の駆動手段を同時に駆動開始することを特徴とする請求項１３〜１６のいずれかの項に記載の画像形成装置。
【請求項１８】
前記転写手段は、転写ローラであることを特徴とする請求項１３〜１７のいずれかの項に記載の画像形成装置。
【請求項１９】
画像形成装置であって、
電子写真方式を用いて電子写真感光体へトナー像を形成する画像形成手段と、
電子写真感光体に当接して配置されるとともに電子写真感光体上のトナー像を記録媒体へ転写する転写手段と、
前記電子写真感光体を回転駆動する第一の駆動手段と、前記第一の駆動手段からの駆動力を前記電子写真感光体に伝達する第一の結合手段と、
前記電子写真感光体に設けられ、前記第一の結合手段と結合する第二の結合手段と、
前記転写手段を回転駆動する第二の駆動手段と、
前記転写手段によって前記記録媒体へトナー像転写した後に前記電子写真感光体上に残留したトナーを回前記電子写真感光体表面に当接したクリーニングブレードによって回収するクリーニング手段と、
前記画像形成装置に着脱可能であって、少なくとも前記電子写真感光体と前記クリーニング手段とを枠体により保持するプロセスカートリッジと、
前記プロセスカートリッジが交換されたことを検出する交換検出手段と、を有し、
前記交換検出手段によりプロセスカートリッジが交換されたことが検出された場合、第一の駆動手段を駆動開始し、前記第一駆動手段の駆動開始から所定時間後に、第二の駆動手段の駆動を開始することを特徴とする画像形成装置。
【請求項２０】
前記第三の結合手段は断面がｎ（ｎ≧３）角形の捩じれた穴を有し、前記第四の結合手段は捩じれたｎ（ｎ≧３）角柱の形状を有することを特徴とする請求項１９に記載の画像形成装置。
【請求項２１】
前記第三の結合手段は捩じれたｎ（ｎ≧３）角柱の形状を有し、前記第四の結合手段は断面がｎ（ｎ≧３）角形の捩じれた穴を有することを特徴とする請求１９に記載の画像形成装置。
【請求項２２】
前記所定時間は、第一の駆動手段の駆動開始から第一の結合手段が１／ｎ回転するのと同じ時間か、もしくは１／ｎ回転するよりも長い時間であることを特徴とする請求項１９〜２１のいずれかの項に記載の画像形成装置。
【請求項２３】
前記交換検出手段により前記プロセスカートリッジが交換されていないと検出された場合、前記第一の駆動手段と前記第二の駆動手段を同時に駆動開始することを特徴とする請求項１９〜２２のいずれかの項に記載の画像形成装置。
【請求項２４】
前記転写手段は、転写ローラであることを特徴とする請求項１９〜２３のいずれかの項に記載の画像形成装置。
【手続補正２】
【補正対象書類名】明細書
【補正対象項目名】００３２
【補正方法】変更
【補正の内容】
【００３２】
【課題を解決するための手段および作用】
本発明は、上述の課題を解決することを目的としてなされたもので、上述の課題を解決する手段として、以下の４つの構成を備える。
【手続補正３】
【補正対象書類名】明細書
【補正対象項目名】００３３
【補正方法】変更
【補正の内容】
【００３３】
第一の構成として、画像形成装置であって、画像形成装置であって、電子写真方式を用いて電子写真感光体へトナー像を形成する画像形成手段と、電子写真感光体に当接して配置されるとともに電子写真感光体上のトナー像を記録媒体へ転写する転写手段と、前記電子写真感光体を回転駆動する第一の駆動手段と、前記第一の駆動手段からの駆動力を前記電子写真感光体に伝達する第一の結合手段と、前記電子写真感光体に設けられ、前記第一の結合手段と結合する第二の結合手段と、前記転写手段を回転駆動する第二の駆動手段と、前記転写手段によって前記記録媒体へトナー像を転写した後に前記電子写真感光体上に残留したトナーを前記電子写真感光体表面に当接したクリーニングブレードによって回収するクリーニング手段と、前記画像形成装置に着脱可能であって、少なくとも前記電子写真感光体と前記クリーニング手段とを枠体により保持するプロセスカートリッジと、前記プロセスカートリッジが新品であることを検出する新品検出手段と、を有し、前記新品検出手段によりプロセスカートリッジが新品であることが検出された場合、第一の駆動手段を駆動開始し、前記第一駆動手段の駆動開始から所定時間後に、第二の駆動手段の駆動を開始することを特徴とする。
【手続補正４】
【補正対象書類名】明細書
【補正対象項目名】００３４
【補正方法】変更
【補正の内容】
【００３４】
第二の構成として、画像形成装置であって、電子写真方式を用いて電子写真感光体へトナー像を形成する画像形成手段と、電子写真感光体上のトナー像を記録媒体へ転写する転写手段と、電子写真感光体に当接して配置されるとともに記録媒体の搬送を行う搬送手段と、前記電子写真感光体を回転駆動する第一の駆動手段と、前記第一の駆動手段からの駆動力を前記電子写真感光体に伝達する第一の結合手段と、前記電子写真感光体に設けられ、前記第一の結合手段と結合する第二の結合手段と、前記搬送手段を回転駆動する第二の駆動手段と、前記転写手段によって前記記録媒体へトナー像を転写した後に前記電子写真感光体上に残留したトナーを回前記電子写真感光体表面に当接したクリーニングブレードによって回収するクリーニング手段と、前記画像形成装置に着脱可能であって、少なくとも前記電子写真感光体と前記クリーニング手段とを枠体により保持プロセスカートリッジと、前記プロセスカートリッジが交換されたことを検出する交換検出手段と、を有し、前記交換検出手段により前記プロセスカートリッジが交換されたことが検出された場合、第一の駆動手段を駆動開始し、前記第一駆動手段の駆動開始から所定時間後に、第二の駆動手段の駆動を開始することを特徴とする。
【手続補正５】
【補正対象書類名】明細書
【補正対象項目名】００３６
【補正方法】変更
【補正の内容】
【００３６】
第三の構成として、画像形成装置であって、電子写真方式を用いて電子写真感光体へトナー像を形成する画像形成手段と、電子写真感光体に当接して配置されるとともに電子写真感光体上のトナー像を記録媒体へ転写する転写手段と、前記電子写真感光体を回転駆動する第一の駆動手段と、前記第一の駆動手段からの駆動力を前記電子写真感光体に伝達する第一の結合手段と、前記電子写真感光体に設けられ、前記第一の結合手段と結合する第二の結合手段と、前記転写手段を回転駆動する第二の駆動手段と、前記転写手段によって前記記録媒体へトナー像を転写した後に前記電子写真感光体上に残留したトナーを前記電子写真感光体表面に当接したクリーニングブレードによって回収するクリーニング手段と、前記画像形成装置に着脱可能であって、少なくとも前記電子写真感光体と前記クリーニング手段とを枠体により保持するプロセスカートリッジと、前記プロセスカートリッジが新品であることを検出する新品検出手段と、を有し、前記新品検出手段によりプロセスカートリッジが新品であることが検出された場合、第一の駆動手段を駆動開始し、前記第一駆動手段の駆動開始から所定時間後に、第二の駆動手段の駆動を開始することを特徴とする。
【手続補正６】
【補正対象書類名】明細書
【補正対象項目名】００３７
【補正方法】変更
【補正の内容】
【００３７】
第四の構成として、画像形成装置であって、電子写真方式を用いて電子写真感光体へトナー像を形成する画像形成手段と、電子写真感光体に当接して配置されるとともに電子写真感光体上のトナー像を記録媒体へ転写する転写手段と、前記電子写真感光体を回転駆動する第一の駆動手段と、前記第一の駆動手段からの駆動力を前記電子写真感光体に伝達する第一の結合手段と、前記電子写真感光体に設けられ、前記第一の結合手段と結合する第二の結合手段と、前記転写手段を回転駆動する第二の駆動手段と、前記転写手段によって前記記録媒体へトナー像転写した後に前記電子写真感光体上に残留したトナーを回前記電子写真感光体表面に当接したクリーニングブレードによって回収するクリーニング手段と、前記画像形成装置に着脱可能であって、少なくとも前記電子写真感光体と前記クリーニング手段とを枠体により保持するプロセスカートリッジと、前記プロセスカートリッジが交換されたことを検出する交換検出手段と、を有し、前記交換検出手段によりプロセスカートリッジが交換されたことが検出された場合、第一の駆動手段を駆動開始し、前記第一駆動手段の駆動開始から所定時間後に、第二の駆動手段の駆動を開始することを特徴とする。